(57)【特許請求の範囲】
【請求項１】
地点に対する所定の属性の人気度合いを外部から取得する取得手段と、
表示画面に表示された地図上の前記地点に対する図形の大きさによって前記所定の属性
の人気度合いを表示する表示制御手段と、を備えるナビゲーション装置であって、
前記表示制御手段は、操作者による前記図形の選択操作に応じて、前記地点の詳細情報
および該地点を目的地とする経路案内の開始要否を表示し、
前記所定の属性とは、前記操作者の行動履歴や趣味とは異なる属性であり、
さらに所定範囲内の情報端末と通信接続可能な通信手段を備え、
前記表示制御手段は、前記通信手段によって取得される前記情報端末に記憶されている
情報に基づいて前記属性を自動的に設定することを特徴とするナビゲーション装置。
【請求項２】
前記表示制御手段は、前記表示画面に表示されている前記地図の範囲内に存在する前記地
点によって形成される前記人気度合いの順位の所定上位の前記地点に対して前記図形を表
示することを特徴とする請求項１に記載のナビゲーション装置。
【請求項３】
前記表示制御手段は、前記地図を鳥瞰図により表示し、かつ前記図形を棒グラフにより表
示し、前記地図上の複数の前記地点に対する前記図形が前記表示画面の奥行き方向で重な
り合う場合には、これらの前記図形の一部のみを重ね合わせつつ斜め方向にずらして表示
することを特徴とする請求項１または請求項２に記載のナビゲーション装置。
【請求項４】
前記表示制御手段は、前記詳細情報として前記地点での滞在に要する目安所要時間を表示
することを特徴とする請求項１から請求項３の何れかひとつに記載のナビゲーション装置。
【請求項５】
前記表示制御手段は、前記表示画面に表示されている前記地図の範囲内に存在する前記地
点のうちにおいて、移動経路上に存在する前記地点に対して前記図形を表示することを特
徴とする請求項１から請求項４の何れかひとつに記載のナビゲーション装置。
【請求項６】
前記表示制御手段は、前記表示画面に表示可能な所定条件の前記地点によって形成される
前記人気度合いの順位の所定下限に基づき、前記表示画面に表示されている前記地図の範
囲内に存在する前記地点のうち前記人気度合いの順位の前記所定下限よりも上位の前記地
点に対して前記図形を表示することを特徴とする請求項１から請求項５の何れかひとつに
記載のナビゲーション装置。
【請求項７】
フロントウィンドウの所定領域または運転者から見て前記フロントウィンドウ越しの外界
に重畳する領域を前記表示画面とするヘッドアップディスプレイを搭載した車両に備えら
れ、
前記表示制御手段は、前記車両の現在位置の所定範囲内に存在する前記地点の前記人気
度合いと前記地点が存在する方向を示す矢印とを前記ヘッドアップディスプレイに表示す
ることを特徴とする請求項１から請求項６の何れかひとつに記載のナビゲーション装置。
【発明の詳細な説明】
【技術分野】
【０００１】
本発明は、ナビゲーション装置に関する。
【背景技術】
【０００２】
従来、例えばＧＰＳなどの測位機能を有する端末装置において、この端末装置の現在位置周辺における特定の属性（ジャンル）での地点の人気度合いを地図上に棒グラフによって表示する端末装置が知られている（例えば、特許文献１参照）。
【先行技術文献】
【特許文献】
【０００３】
【特許文献１】特開２００７−１５６６３７号公報
【発明の概要】
【発明が解決しようとする課題】
【０００４】
ところで、上記従来技術に係る端末装置によれば、単に、地図上の地点に人気度合いに応じた高低の棒グラフを表示するだけであり、この人気度合いに応じた地点への経路案内を設定および実行するまでには、煩雑な手間を要する虞がある。
【０００５】
本発明は上記事情に鑑みてなされたもので、ユーザインタフェースに対する直感的な操作によって人気度合いに応じた地点に対する経路案内を容易に実行することが可能なナビゲーション装置を提供することを目的とする。
【課題を解決するための手段】
【０００６】
上記課題を解決して係る目的を達成するために、本発明の請求項１に係るナビゲーショ
ン装置は、地点に対する所定の属性の人気度合いを外部から取得する取得手段（例えば、
実施の形態での車両通信装置３１および車両通信制御部４３）と、表示画面に表示された
地図上の前記地点に対する図形の大きさによって前記所定の属性の人気度合いを表示する
表示制御手段（例えば、実施の形態での表示制御部４４）と、を備えるナビゲーション装
置であって、前記表示制御手段は、操作者による前記図形の選択操作に応じて、前記地点
の詳細情報および該地点を目的地とする経路案内の開始要否を表示し、前記所定の属性と
は、前記操作者の行動履歴や趣味とは異なる属性であり、さらに所定範囲内の情報端末と通信接続可能な通信手段を備え、前記表示制御手段は、前記通信手段によって取得される前記情報端末に記憶されている情報に基づいて前記属性を自動的に設定する。
【０００７】
さらに、本発明の請求項２に係るナビゲーション装置では、前記表示制御手段は、前記表示画面に表示されている前記地図の範囲内に存在する前記地点によって形成される前記人気度合いの順位の所定上位の前記地点に対して前記図形を表示する。
【０００８】
さらに、本発明の請求項３に係るナビゲーション装置では、前記表示制御手段は、前記地図を鳥瞰図により表示し、かつ前記図形を棒グラフにより表示し、前記地図上の複数の前記地点に対する前記図形が前記表示画面の奥行き方向で重なり合う場合には、これらの前記図形の一部のみを重ね合わせつつ斜め方向にずらして表示する。
【０００９】
さらに、本発明の請求項４に係るナビゲーション装置では、前記表示制御手段は、前記詳細情報として前記地点での滞在に要する目安所要時間を表示する。
【００１０】
さらに、本発明の請求項５に係るナビゲーション装置では、前記表示制御手段は、前記表示画面に表示されている前記地図の範囲内に存在する前記地点のうちにおいて、移動経路上に存在する前記地点に対して前記図形を表示する。
【００１１】
さらに、本発明の請求項６に係るナビゲーション装置では、前記表示制御手段は、前記表示画面に表示可能な所定条件の前記地点によって形成される前記人気度合いの順位の所定下限に基づき、前記表示画面に表示されている前記地図の範囲内に存在する前記地点のうち前記人気度合いの順位の前記所定下限よりも上位の前記地点に対して前記図形を表示する。
【００１２】
さらに、本発明の請求項７に係るナビゲーション装置は、フロントウィンドウの所定領域または運転者から見て前記フロントウィンドウ越しの外界に重畳する領域を前記表示画面とするヘッドアップディスプレイ（例えば、実施の形態でのヘッドアップディスプレイ３２）を搭載した車両に備えられ、前記表示制御手段は、前記車両の現在位置の所定範囲内に存在する前記地点の前記人気度合いと前記地点が存在する方向を示す矢印とを前記ヘッドアップディスプレイに表示する。
【００１３】
さらに、本発明の請求項８に係るナビゲーション装置は、所定範囲内の情報端末（例えば、実施の形態での情報端末５０）と通信接続可能な通信手段（例えば、実施の形態での情報取得部４５）を備え、前記表示制御手段は、前記通信手段によって取得される前記情報端末に記憶されている情報に基づいて前記属性を自動的に設定する。
【発明の効果】
【００１４】
本発明の請求項１に係るナビゲーション装置によれば、操作者が所定の属性の人気度合いに応じた地点を目的地とする経路案内の開始要否を設定する際において、操作者の直感的な操作を可能とすることができる。これにより、例えば車両などに搭載された場合であっても、運転者の視線が外界から逸脱して表示画面へと向けられる頻度や時間を最小限に短縮することができる。
【００１５】
さらに、本発明の請求項２に係るナビゲーション装置によれば、現在の縮尺で表示画面に表示されている地図の範囲内に存在する地点によって形成される人気度合いの順位の所定上位の地点に対して図形を表示する。
これにより、操作者は、表示画面に表示される地図の縮尺を変更することによって、人気度合いの順位を検索する範囲を容易に設定することができ、利便性を向上させることができる。
【００１６】
さらに、本発明の請求項３に係るナビゲーション装置によれば、操作者による図形の選択操作などに対する所望の操作性を確保しつつ、地図上における地点の位置および人気度合いの視認性を向上させることができる。
【００１７】
さらに、本発明の請求項４に係るナビゲーション装置によれば、人気度合いに応じた複数の地点から何れかの地点が操作者によって選択される作業を適切に支援することができる。
【００１８】
さらに、本発明の請求項５に係るナビゲーション装置によれば、移動時であっても操作者は人気度合いに応じた複数の地点から何れかの地点を経由地として容易かつ気軽に設定することができる。
【００１９】
さらに、本発明の請求項６に係るナビゲーション装置によれば、表示画面に表示可能な所定条件の地点（例えば、現在の縮尺で表示画面に表示されている地図よりも広範な範囲内（全国内など）に存在する地点）によって形成される人気度合いの順位の所定下限よりも上位の地点に対して図形を表示する。
これにより、表示画面に表示された地図上の地点に対する人気度合いの基準が地図の縮尺に応じて変動することを防止し、地図の縮尺に依らない統一的な基準によって人気度合いを表示することができる。
【００２０】
さらに、本発明の請求項７に係るナビゲーション装置によれば、表示画面を地図表示以外の画面に切り替えた場合であっても、車両の現在位置周辺に存在する所定の属性の人気度合いの地点の有無を運転者に提示することができる。
【００２１】
さらに、本発明の請求項８に係るナビゲーション装置によれば、所定の属性を設定するために煩雑な手間を要することを防止することができる。また、例えば複数の操作者によって共有される車両などに搭載された場合であっても、各操作者が所持する情報端末の情報に基づいて自動的に所定の属性を設定することができ、利便性を向上させることができる。
【図面の簡単な説明】
【００２２】
【図１】本発明の実施の形態に係るナビゲーション装置の構成図である。
【図２】本発明の実施の形態に係るナビゲーション装置の表示画面における表示例を示す図である。
【図３】本発明の実施の形態に係るナビゲーション装置の表示画面における表示例を示す図である。
【図４】本発明の実施の形態に係るナビゲーション装置の表示画面における表示例を示す図である。
【図５】本発明の実施の形態に係るナビゲーション装置の表示画面における表示例を示す図である。
【図６】本発明の実施の形態に係るナビゲーション装置の表示画面における表示例を示す図である。
【図７】本発明の実施の形態に係るナビゲーション装置の表示画面における表示例を示す図である。
【図８】本発明の実施の形態に係るナビゲーション装置を搭載した複数の車両の配置例を示す図である。
【図９】本発明の実施の形態に係るナビゲーション装置の表示画面における表示例を示す図である。
【発明を実施するための形態】
【００２３】
以下、本発明のナビゲーション装置の一実施形態について添付図面を参照しながら説明する。
本実施の形態によるナビゲーション装置１０は、例えば図１に示すように、サーバ装置１と通信可能な車両２に搭載されており、サーバ装置１と複数の車両２とは、各種の情報を送受信するためのクライアントサーバー型の無線ネットワークシステムを構成している。
また、複数の車両２同士は、例えば車車間通信などによって双方向に通信接続可能であって、各種の情報を送受信する。
【００２４】
サーバ装置１は、例えば、通信装置１１と、サーバ制御装置１２と、を備えて構成されている。
通信装置１１は、車両２の車両通信装置１３と通信可能であって、車両２の車両通信装置１３に対する直接的な無線通信接続または所定の通信網を介した通信接続によって、各種の情報を送受信する。
【００２５】
サーバ制御装置１２は、例えば、通信制御部２１と、情報記憶部２２と、サーバ制御部２３と、を備えて構成されている。
【００２６】
通信制御部２１は、例えば、通信装置１１による各種の情報の送受信を制御する。
例えば、通信制御部２１は、各車両２から送信されて通信装置１１により受信された位置情報および車両２に関する情報および地点の推薦情報などを取得して、情報記憶部２２に出力する。
また、例えば、通信制御部２１は、情報記憶部２２に記憶されている地点に対する所定の属性（ジャンルなど）の人気度合いの情報および地点の推薦情報などを通信装置１１から車両２の車両通信装置３１に送信する。
【００２７】
情報記憶部２２は、通信装置１１により受信された各車両２の位置情報および各車両２に関する情報および地点の推薦情報に加えて、地点に対する所定の属性の人気度合いの情報および地点に関する詳細情報などを記憶する。
【００２８】
サーバ制御部２３は、例えば、通信制御部２１によって各車両２に送信される地点に対する所定の属性の人気度合いの情報および地点の推薦情報などを、各車両２からの要求に応じて、情報記憶部２２に記憶されている各情報のうちから適宜に選択する。
【００２９】
車両２は、例えば、車両通信装置３１と、ヘッドアップディスプレイ３２と、制御装置３３と、を備えて構成されている。
【００３０】
車両通信装置３１は、例えば、車両２の外部のサーバ装置３および他の車両２と双方向に通信可能であって、各種の情報を送受信する。
【００３１】
ヘッドアップディスプレイ３２は、例えばフロントウィンドウＦＷの所定領域または運転者から見てフロントウィンドウ越しの外界に重畳する領域を表示画面とした投影などにより表示を行なう。
なお、ヘッドアップディスプレイ３２は、例えば、表示画面に対する操作者による直接的な接触操作を検出可能であってもよいし、あるいは、適宜の入力デバイスに対する操作者の入力操作に応じて操作可能なポインタなどを表示画面に表示可能であってもよい。
【００３２】
制御装置３３は、例えば、現在位置検出部４１と、ナビゲーション処理部４２と、車両通信制御部４３と、表示制御部４４と、情報取得部４５と、を備えて構成されている。
【００３３】
現在位置検出部４１は、例えば人工衛星を利用して車両２の位置を測定するためのＧＰＳ（Global Positioning System）信号などの測位信号を受信して、この測位信号に基づいて車両２の現在位置を検出する。
また、現在位置検出部４１は、さらに、車両２の速度およびヨーレートなどに基づく自律航法の演算処理を併用して、車両２の現在位置を検出可能である。
【００３４】
ナビゲーション処理部４２は、例えばヘッドアップディスプレイ３２などの表示画面において地図を表示するための地図データを記憶している。
地図データは、例えば、車両２の現在位置に基づくマップマッチングの処理に必要とされる道路上の位置座標を示す道路座標データと、経路探索や経路誘導などの処理に必要とされる道路データと、を備えている。
道路データは、例えば、交差点および分岐点などの道路上の所定位置の緯度および経度からなる座標点であるノードおよび各ノード間を結ぶ線であるリンクと、道路形状および道路種別と、道路の幅員データおよび制限速度となどを備えている。
【００３５】
そして、ナビゲーション処理部４２は、例えば、記憶している地図データに対して車両２の現在位置の情報に基づいてマップマッチングを行ない、表示画面における地図および車両２の現在位置の表示を制御する。
また、ナビゲーション処理部４２は、例えば、車両２の経路探索や経路誘導などの処理を実行し、表示画面での地図表示に対して、例えば目的地や経由地の経路情報などの各種の情報を付加する。
【００３６】
表示制御部４４は、後述するように、ナビゲーション処理部４２から出力される地図データや経路情報などに加えて、外部（例えば、サーバ装置１や他の車両２など）から取得した地点に対する所定の属性の人気度合いの情報や、地点の推薦情報や、地点に関する詳細情報などを、ヘッドアップディスプレイ１４の表示画面に表示する。
また、表示制御部４４は、後述するように、情報取得部４５により取得された情報端末５０の各種の情報に基づき、表示画面の表示を制御する。
【００３７】
情報取得部４５は、例えば、所定範囲内の情報端末５０（例えば、車両２の乗員が携帯する情報端末５０や、運転者座席に着座した運転者が携帯する情報端末５０など）と通信接続可能であって、情報端末５０に記憶されている各種の情報を取得する。
なお、情報取得部４５は、通信接続可能な複数の情報端末５０が存在する場合などには、実際に通信接続される情報端末５０を、操作者の指示に応じて切り替え可能であってもよい。
【００３８】
本実施の形態によるナビゲーション装置１０は上記構成を備えており、次に、このナビゲーション装置１０の動作について説明する。
【００３９】
表示制御部４４は、例えば、ヘッドアップディスプレイ１４の表示画面に表示された地図上の地点に対する図形の大きさによって所定の属性の人気度合いを表示可能であって、操作者による図形の選択操作に応じて、地点の詳細情報および該地点を目的地とする経路案内の開始要否を表示する。
【００４０】
例えば図２（Ａ）に示すように、表示制御部４４は、ナビゲーション処理部４２から出力された地図データに基づいて、操作者などによって指示された所定の縮尺の地図（例えば、俯瞰図）Ｍを、ヘッドアップディスプレイ１４の表示画面上に表示する。
そして、この地図上の各地点に対して、例えば操作者による表示要求などに応じて、所定の属性の人気度合いを、所定の図形Ｐ（例えば、人気度度合いに応じた高低を有する棒グラフや、人気度度合いに応じた大きさを有する球体や円など）の大きさによって表示する。
【００４１】
なお、所定の属性の人気度合いの情報は、例えば、自動的に、あるいは操作者による人気度合いの表示要求などに応じて、車両通信装置３１を介して車両２の外部のサーバ装置３などから取得可能である。
【００４２】
また、所定の属性は、人気度合いのジャンルやカテゴリを指定するものであって、例えば、予め記憶されている所定のリスト、あるいは、操作者に関する各種の情報に基づいて作成される推奨リストのうちから、操作者によって選択されてもよいし、操作者に関する各種の情報に基づいて自動的に設定されてもよい。
【００４３】
例えば、表示制御部４４は、制御装置３３に記憶されている情報や情報取得部４５と通信接続可能な情報端末５０に記憶されている情報などのうちから、操作者に関する各種の情報を定期的に検索してもよい。
なお、情報端末５０に対しては、例えば、情報取得部４５との通信確立時などにおいて、操作者に関する各種の情報が検索されてもよい。
【００４４】
なお、操作者に関する各種の情報は、例えば、目的地検索履歴や、目的地登録リストや、現在位置の履歴による滞在時間情報や、お気に入りリストや、インターネット上の各種の情報の閲覧履歴や、検索キーワードの履歴や、登録電話帳リストや、業種別電話帳の情報と対応付けられた電話発信履歴および着信履歴や、情報端末５０のクレジット機能あるいは通信販売を用いた商品の購入履歴や商品購入店舗の履歴などの情報である。
【００４５】
そして、表示制御部４４は、例えば図２（Ｂ）に示すように、表示画面上の適宜の図形Ｐに対して操作者による選択操作が実行された場合には、例えば図２（Ｃ）に示すように、この図形Ｐに対応する地点の詳細情報Ａおよび該地点を目的地とする経路案内の開始要否の選択項目Ｂを表示する。
【００４６】
そして、表示制御部４４は、この地点を目的地とする経路案内の開始が操作者によって要求された場合には、ナビゲーション処理部４２による経路探索を実行させ、例えば図２（Ｄ）に示すように、経路探索によって得られた案内経路Ｒを表示し、ナビゲーション処理部４２による経路誘導を実行させる。
【００４７】
なお、表示制御部４４は、地点の詳細情報Ａを表示する際には、例えば図２（Ｃ）に示すように、地点での滞在に要する目安所要時間を表示してもよい。
この目安所要時間は、例えば他の車両２の位置の履歴に基づいて作成される地点での滞在時間や、例えば地点における他の車両２のイグニッションスイッチのオン／オフに基づいて生成される滞在時間などであって、車両通信装置３１を介して車両２の外部のサーバ装置３などから取得可能である。
【００４８】
なお、表示制御部４４は、地図上の地点に対して所定の属性の人気度合いの図形Ｐを表示する際には、例えば、表示画面に表示されている地図の範囲内に存在する地点によって形成される人気度合いの順位の所定上位（例えば、上位の５位以上など）の地点に対して図形Ｐを表示してもよい。
この場合には、例えば図３（Ａ），（Ｂ）に示すように、表示画面に表示される地図の縮尺に応じて、図形Ｐが表示される地点および図形Ｐの大きさが変化する。
【００４９】
また、表示制御部４４は、例えば鳥瞰図による地図上の地点に対して所定の属性の人気度合いの棒グラフによる図形を表示する際に、例えば図４（Ｂ）に示す比較例のように、地図Ｍ上の複数の地点に対する図形Ｐが表示画面の奥行き方向で重なり合う場合には、例えば図４（Ａ）に示すように、これらの図形Ｐの一部のみを重ね合わせつつ斜め方向にずらして表示する。
【００５０】
なお、表示制御部４４は、例えば、既にナビゲーション処理部４２などによって車両２の移動経路が設定されている場合には、表示画面に表示されている地図の範囲内に存在する地点のうちにおいて、この移動経路上（例えば、移動経路である道路沿いの位置など）に存在する地点に対して図形を表示してもよい。
【００５１】
なお、表示制御部４４は、例えば、表示画面に表示可能な所定条件の地点によって形成される人気度合いの順位の所定下限に基づき、表示画面に表示されている地図の範囲内に存在する地点のうち、この人気度合いの順位の所定下限よりも上位の地点に対して図形を表示してもよい。
例えば、表示制御部４４は、表示画面に表示可能な全国の地点によって形成される所定の属性の人気度合いの順位の所定下限（例えば、上位の１００位など）に基づき、この所定下限よりも上位の地点のみに対して図形を表示可能とする。
【００５２】
なお、表示制御部４４は、例えば、人気度合いの所定の属性として、操作者によって選択された属性あるいは操作者の行動履歴や趣味などとは異なる属性の人気度合いのみを表示する表示モード（発見モード）を有し、操作者の要求に応じて、この表示モードによる表示を実行してもよい。
これによれば、操作者に新たな発見をもたらしたり、行動範囲を広げることができる。
【００５３】
なお、表示制御部４４は、例えば、車両２の現在位置の所定範囲内に存在する地点の人気度合いと、地点が存在する方向あるいは地点自体を示す矢印とを、ヘッドアップディスプレイ３２に表示してもよい。
【００５４】
例えば、表示制御部４４は、先ず、図５（Ａ）に示すように、人気度合いの複数のジャンルやカテゴリを選択項目とするリストＣを、各選択項目を選択可能にヘッドアップディスプレイ３２に表示する。
【００５５】
そして、操作者によって選択された選択項目に応じた属性の人気度合いに対して、例えば図５（Ｂ）に示すように、車両２の現在位置の所定範囲内に存在する地点の人気度合いの情報Ｄ（例えば、他の車両２によって各地点が目的地とされた数や、他の操作者によって各地点が推薦された数などであって、「３００いいね」、「５いいね」、「１８いいね」など）と、地点が存在する方向を示す矢印Ｅとを、ヘッドアップディスプレイ３２に表示する。
【００５６】
なお、表示制御部４４は、操作者に関する各種の情報に基づいて、例えば図６に示すように、仮想的な看板Ｇをヘッドアップディスプレイ３２に表示してもよい。
【００５７】
例えば、表示制御部４４は、制御装置３３に記憶されている情報や情報取得部４５と通信接続可能な情報端末５０に記憶されている情報などのうちから、操作者に関する各種の情報として、例えば、目的地設定履歴や、自宅以外で駐車していたことのある場所の履歴や、登録電話番号リストや、インターネット上の各種の情報の閲覧履歴などを検索する。そして、検索結果の情報を、車両通信装置３１を介してサーバ装置１に送信する。
【００５８】
そして、サーバ装置１のサーバ制御装置１２は、車両２から送信された情報を通信装置１１によって受信した場合に、車両２の操作者（つまり、運転者）の嗜好を分析し、この運転者の嗜好のジャンルを順位付けして、逐次更新しつつ情報記憶部２２に記憶する。
そして、サーバ制御装置１２は、車両２から送信された位置情報を通信装置１１によって受信した場合に、この車両２の現在位置の周辺の地点のうちから、車両２の運転者の嗜好のジャンルの順位に応じた推奨地点（例えば、車両２の運転者が行ったことのない地点など）を抽出する。そして、抽出結果を車両２に送信する。
【００５９】
そして、車両２の表示制御部４４は、サーバ装置１から送信された推奨地点の情報を車両通信装置３１によって受信した場合に、現在位置検出部４１により検出された車両２の現在位置の情報に基づき、推奨地点の情報を仮想的な看板Ｇとして、実風景に重畳するようにして、ヘッドアップディスプレイ３２に表示する。
【００６０】
そして、表示制御部４４は、看板Ｇの表示後における運転者の行動を監視し、この看板Ｇに従って実際に推奨地点に立ち寄った場合には、この嗜好のジャンルを有効として、継続して推奨地点の抽出を行なうようにサーバ装置１に指示する。
一方、この看板Ｇの表示後に推奨地点に立ち寄る傾向がない場合には、この嗜好のジャンルを無効として、このジャンルの次の順位のジャンルにて推奨地点の抽出を行なうようにサーバ装置１に指示する。
【００６１】
上述したように、本実施の形態によるナビゲーション装置１０によれば、地図上の地点に表示された所定の属性の人気度合いに応じた大きさの図形が選択されるだけの簡単な操作によって、地点の詳細情報および該地点を目的地とする経路案内の開始要否が表示される。
これにより、操作者が所定の属性の人気度合いに応じた地点を目的地とする経路案内の開始要否を設定する際において、操作者の直感的な操作を可能とすることができ、運転者の視線が外界から逸脱して表示画面へと向けられる頻度や時間を最小限に短縮することができる。
【００６２】
さらに、現在の縮尺で表示画面に表示されている地図の範囲内に存在する地点によって形成される人気度合いの順位の所定上位の地点に対して図形を表示することから、地図の縮尺を変更することによって、人気度合いの順位を検索する範囲を容易に設定することができ、利便性を向上させることができる。
【００６３】
さらに、地図を鳥瞰図により表示して、図形が奥行き方向で重なる場合には、図形の一部のみを重ね合わせつつ斜め方向にずらして表示することから、図形の選択操作などに対する所望の操作性を確保しつつ、地図上における地点の位置および人気度合いの視認性を向上させることができる。
【００６４】
さらに、地点での滞在に要する目安所要時間を表示することによって、人気度合いに応じた複数の地点から何れかの地点を選択する操作者の作業を適切に支援することができる。
【００６５】
さらに、車両２の移動経路上に存在する地点に対して図形を表示することによって、移動時であっても、人気度合いに応じた複数の地点から何れかの地点を経由地あるいは目的地として容易かつ気軽に操作者に設定させることができる。
【００６６】
さらに、表示画面に表示可能な所定条件の地点（例えば、現在の縮尺で表示画面に表示されている地図よりも広範な範囲内（全国内など）に存在する地点）によって形成される人気度合いの順位の所定下限よりも上位の地点に対して図形を表示する。
これにより、表示画面に表示された地図上の地点に対する人気度合いの基準が地図の縮尺に応じて変動することを防止し、地図の縮尺に依らない統一的な基準によって人気度合いを表示することができる。
これにより、人気度合いの表示に対する期待外れなどが生じることを防止することができる。
【００６７】
さらに、表示画面を地図表示以外の画面に切り替えた場合であっても、車両の現在位置周辺に存在する所定の属性の人気度合いの地点の有無を運転者に提示することができる。
【００６８】
さらに、操作者に関する各種の情報を自動的に検索して人気度合いの所定の属性を自動的に設定することから、煩雑な手間を要することを防止することができる。また、例えば複数の運転者によって運転される車両２などにおいても、各運転者が所持する情報端末５０の情報に基づいて自動的に所定の属性を設定することができ、利便性を向上させることができる。
【００６９】
なお、上述した実施の形態において、サーバ装置１のサーバ制御装置１２は、例えば、各車両２によって設定された目的地情報に基づいて目的地の人気度合いの情報を生成して、この情報を情報記憶部２２に記憶してもよい。
この場合、車両２の表示制御部４４は、例えば図７（Ａ）に示すように、サーバ装置１の情報記憶部２２に記憶されている目的地の人気度合いの情報を、操作者の要求に応じて、サーバ装置１から取得可能であってもよい。
【００７０】
例えば図７（Ａ）において、車両２の表示制御部４４は、操作者の入力操作によって、車両２の現在位置の周辺の所定範囲（例えば、半径１０ｋｍ以内の範囲など）に存在する他の車両２の目的地の人気度合いの最上位の情報をサーバ装置１から取得することが要求されると、この要求に応じて、目的地の人気度合いの最上位の情報をサーバ装置１から取得する。
【００７１】
この場合には、車両２が存在する地域毎や時間毎などに応じて、人気度合いが高い目的地を即座に把握することができる。
【００７２】
また、車両２の表示制御部４４は、例えば図７（Ｂ），（Ｃ）に示すように、車両２の目的地情報を、車両２の現在位置の周辺の他の車両２のうちから、操作者により選択される適宜の他の車両２に送信可能であってもよい。
【００７３】
例えば図７（Ｂ），（Ｃ）において、車両２の表示制御部４４は、操作者の入力操作によって、車両２の目的地情報を他の車両２に送信することが要求されると、目的地情報を送信すべき他の車両２を操作者に選択させ、この選択に応じた他の車両２に目的地情報を送信する。
【００７４】
さらに、この場合、車両２の操作者によって選択された他の車両２の表示制御部４４は、例えば図７（Ｄ）に示すように、適宜の車両２から送信された目的地情報の受信要否を選択可能であってもよい。
【００７５】
例えば図７（Ｄ）において、適宜の車両２の操作者によって選択された他の車両２の表示制御部４４は、適宜の車両２から目的地情報が送信されたことを表示するとともに、この目的地情報を受け取るか否かを選択させる表示を行なう。そして、受け取りが選択された場合には目的地情報を受信し、受け取りの拒否が選択された場合には目的地情報の受信を拒否する。
【００７６】
この場合には、例えば複数の仲間同士での走行時などにおいて、目的地情報を複数の車両２間において容易に共有することができ、実用性および利便性を向上させることができる。
【００７７】
なお、上述した実施の形態において、サーバ装置１のサーバ制御装置１２は、地図上の地点の人気度合いに加えて、複数の車両２において聴かれている音楽の人気度合いの情報に基づいて各種の制御を実行してもよい。
【００７８】
例えば図８に示すように、車両２の車両通信制御部４３は、車両２において聴かれている音楽の情報（音楽情報）を、位置情報と共にサーバ装置１に送信する。
そして、サーバ装置１のサーバ制御装置１２は、車両２から送信された音楽情報を通信装置１１によって受信した場合には、複数の車両２の音楽情報によって形成される音楽の人気度合いを順位付けして、逐次更新しつつ情報記憶部２２に記憶する。
そして、この車両２の現在位置の周辺の他の車両２のうちから、既に情報記憶部２２に音楽情報が記憶されている他の車両２を抽出し、抽出した他の車両２の位置情報を車両２に送信する。
【００７９】
そして、車両２の表示制御部４４は、サーバ装置１から送信された他の車両２の位置情報を車両通信装置３１によって受信した場合に、この位置情報に対応する他の車両２を、例えば実風景上に重畳するようにして、あるいは地図上において、強調表示する。
そして、強調表示された他の車両２に対して、操作者による選択操作が実行された場合には、選択された車両２の情報をサーバ装置１に送信する。
【００８０】
そして、サーバ装置１のサーバ制御装置１２は、車両２から送信された車両２の情報を通信装置１１によって受信した場合には、選択された車両２に対応付けられている音楽情報を情報記憶部２２から抽出し、抽出した音楽情報を車両２に送信する。
そして、車両２の表示制御部４４は、サーバ装置１から送信された音楽情報を車両通信装置３１によって受信した場合に、この音楽情報を表示する。
【００８１】
なお、車両２の表示制御部４４は、例えば図９（Ａ）に示すように、サーバ装置１の情報記憶部２２に記憶されている複数の車両２の音楽情報によって形成された音楽の人気度合いの順位付けの情報を、操作者の要求に応じて、サーバ装置１から取得可能であってもよい。
【００８２】
例えば図９（Ａ）において、車両２の表示制御部４４は、操作者の入力操作に応じて、車両２の現在位置の周辺の半径１０ｋｍ以内の範囲における人気度合いの最上位の音楽情報を取得することをサーバ装置１に要求し、この要求に応じてサーバ装置１から取得した音楽情報を表示する。
【００８３】
また、車両２の表示制御部４４は、例えば図９（Ｂ），（Ｃ）に示すように、車両２において聴かれている音楽の情報を、車両２の現在位置周辺の他の車両２のうちから、操作者により選択される適宜の他の車両２に送信可能であってもよい。
【００８４】
例えば図９（Ｂ），（Ｃ）において、車両２の表示制御部４４は、操作者の入力操作によって、車両２において聴かれている音楽の情報を他の車両２に送信することが要求されると、音楽の情報を送信すべき他の車両２を操作者に選択させ、この選択に応じた他の車両２に音楽の情報を送信する
【００８５】
さらに、この場合、車両２の操作者によって選択された他の車両２の表示制御部４４は、例えば図９（Ｄ）に示すように、車両２から送信された音楽情報の受信要否を選択可能であってもよい。
例えば図９（Ｄ）において、車両２の操作者によって選択された他の車両２の表示制御部４４は、車両２から音楽の情報が送信されたことを表示するとともに、この音楽の情報を受け取るか否かを選択させる表示を行なう。そして、受け取りが選択された場合には音楽の情報を受信し、受け取りの拒否が選択された場合には音楽の情報の受信を拒否する。
【００８６】
なお、上述した実施の形態において、表示制御部４４は、ヘッドアップディスプレイ３２の代わりにＭＩＤ（マルチインフォメーションディスプレイ）などの他の表示器の表示画面に表示を行なってもよい。
なお、ＭＩＤ（マルチインフォメーションディスプレイ）は、例えば、インストゥルメントパネルにおける運転席前方に対応する位置において、車速計や回転数計などの計器類を備えるメータパネルに表示を行なう表示器である。
【００８７】
なお、上述した実施の形態において、表示制御部４４は、ヘッドアップディスプレイ３２の代わりにナビゲーション装置１０自体の表示画面に表示を行なってもよい。
この場合、表示画面をタッチパネルとすることによって、操作者による図形選択の操作性を、より向上させることができる。
【００８８】
また、上述した実施の形態において、車両２は、例えば車両２の外界（進行方向前方の外界など）を撮像領域とするカメラを搭載してもよい。
この場合、表示制御部４４は、このカメラの撮像により得られた外界の画像を、ヘッドアップディスプレイ３２や他の表示器の表示画面に表示してもよく、さらに、この画像に重畳させるようにして、車両２の現在位置の所定範囲内に存在する地点の人気度合いの情報Ｄや、地点が存在する方向を示す矢印Ｅや、仮想的な看板Ｇなどを表示してもよい。  
【符号の説明】
【００８９】
１  サーバ装置
２  車両
１０  ナビゲーション装置
１２  サーバ制御装置
３１  車両通信装置（取得手段）
３２  ヘッドアップディスプレイ
３３  制御装置
４３  車両通信制御部（取得手段）
４４  表示制御部（表示制御手段）
４５  情報取得部（通信手段）
５０  情報端末
【図１】
0005986765.tif 000002
【図２】
0005986765.tif 000003
【図３】
0005986765.tif 000004
【図４】
0005986765.tif 000005
【図５】
0005986765.tif 000006
【図６】
0005986765.tif 000007
【図７】
0005986765.tif 000008
【図８】
0005986765.tif 000009
【図９】
0005986765.tif 000010